(57)【特許請求の範囲】
【請求項１】
ワイヤレス通信ネットワークにおいて第１のメッセージを拡張する方法であって、
前記第１のメッセージの宛先デバイスの変調およびコーディング方式能力を決定することと、
前記第１のメッセージの最終シンボル中のビットの数を決定することと、
前記変調およびコーディング方式能力とビットの前記数とに基づいて、拡張の長さを決定することと、および
前記決定された長さの拡張をもつ前記第１のメッセージを前記宛先デバイスに送信することと
を備える、方法。
【請求項２】
前記第１のメッセージの前記送信と同時に、異なる長さの第２の拡張をもつ第２のメッセージを第２の宛先デバイスに送信することをさらに備える、請求項１に記載の方法。
【請求項３】
前記拡張の前記長さが、０μｓ、４μｓ、８μｓ、１２μｓまたは１６μｓのうちの１つである、請求項１に記載の方法。
【請求項４】
前記第２のメッセージおよび前記第１のメッセージの最終シンボル中のビットの最大数に基づいて、前記第１のメッセージおよび前記第２のメッセージをパディングすることをさらに備える、請求項２に記載の方法。
【請求項５】
前記第１のメッセージが低密度パリティチェック（ＬＤＰＣ）を使用して符号化されたかどうかを決定することと、および
前記第１のメッセージが低密度パリティチェックを使用して符号化されたことに応答して、前記第１のメッセージにシンボルを追加することと
をさらに備える、請求項１に記載の方法。
【請求項６】
ワイヤレス通信ネットワークにおいて拡張を含む第１のメッセージを受信するための方法であって、
パケットの最終シンボル中のビットの数の第１の指示と、追加のシンボルが前記パケット中に含まれているかどうかの第２の指示と、および前記パケットの前記最終シンボルの後のシグナリング拡張とを備える前記パケットを、ワイヤレス通信デバイスによって、受信することと、
前記パケット中のシグナリング拡張ディスアンビギュエーション指示とパケット長さ指示とを前記ワイヤレス通信デバイスによって、受信することと、
前記パケット長さ指示と前記シグナリング拡張ディスアンビギュエーション指示とに少なくとも部分的に基づいて、前記パケットがそれの上で送信されるシンボルの数を決定することと、および
シンボルの前記数と、ビットの前記数と、および前記追加のシンボルが前記パケット中に含まれているかどうかの前記第２の指示とに少なくとも部分的に基づいて、前記パケットを処理することと
を備える、方法。
【請求項７】
ワイヤレス通信ネットワークにおいて第１のメッセージを拡張するための装置であって、前記装置が、
前記第１のメッセージの宛先デバイスの変調およびコーディング方式能力を決定することと、
前記第１のメッセージの最終シンボル中のビットの数を決定することと、
前記変調およびコーディング方式能力とビットの前記数とに基づいて、拡張の長さを決定することと、
を行うように構成された電子ハードウェアプロセッサと、および
前記決定された長さの拡張をもつ前記第１のメッセージを前記宛先デバイスに送信するように構成された送信機と
を備える、装置。
【請求項８】
前記電子ハードウェアプロセッサが、前記第１のメッセージの前記送信と同時に、異なる長さの第２の拡張をもつ第２のメッセージを第２の宛先デバイスに送信するようにさらに構成された、請求項７に記載の装置。
【請求項９】
前記拡張の前記長さが、０μｓ、４μｓ、８μｓ、１２μｓまたは１６μｓのうちの１つである、請求項７に記載の装置。
【請求項１０】
前記電子ハードウェアプロセッサが、前記第２のメッセージおよび前記第１のメッセージの最終シンボル中のビットの最大数に基づいて、前記第１のメッセージおよび前記第２のメッセージをパディングするようにさらに構成された、請求項８に記載の装置。
【請求項１１】
前記電子ハードウェアプロセッサは、
前記第１のメッセージが低密度パリティチェック（ＬＤＰＣ）を使用して符号化されたかどうかを決定することと、および
前記第１のメッセージが低密度パリティチェックを使用して符号化されたことに応答して、前記第１のメッセージにシンボルを追加することと
を行うようにさらに構成された、請求項７に記載の装置。
【請求項１２】
ワイヤレス通信ネットワークにおいて拡張を含む第１のメッセージを受信するための装置であって、
データパケットの最終シンボル中のビットの数の第１の指示と、追加のシンボルが前記データパケット中に含まれているかどうかの第２の指示と、および前記データパケットの前記最終シンボルの後のシグナリング拡張とを備える前記データパケットを受信することと、および
前記パケット中のシグナリング拡張ディスアンビギュエーション指示とパケット長さ指示とを受信することと
を行うように構成された受信機と、および
前記パケット長さ指示と前記シグナリング拡張ディスアンビギュエーション指示とに少なくとも部分的に基づいて、前記パケットがそれの上で送信されるシンボルの数を決定することと、および
シンボルの前記数と、ビットの前記数と、および前記追加のシンボルが前記データパケット中に含まれているかどうかの前記第２の指示とに少なくとも部分的に基づいて、前記データパケットを処理することと
を行うように構成された電子ハードウェアプロセッサと
を備える、装置。
【請求項１３】
実行されたとき、プロセッサに、ワイヤレス通信ネットワークにおいて第１のメッセージを拡張する方法を実施させる命令を備えるコンピュータ可読記憶媒体であって、前記方法が、
前記第１のメッセージの宛先デバイスの変調およびコーディング方式能力を決定することと、
前記第１のメッセージの最終シンボル中のビットの数を決定することと、
前記変調およびコーディング方式能力とビットの前記数とに基づいて、拡張の長さを決定することと、および
前記決定された長さの拡張をもつ前記第１のメッセージを前記宛先デバイスに送信することと
を備える、コンピュータ可読記憶媒体。
【請求項１４】
前記命令が、前記第１のメッセージの前記送信と同時に、異なる長さの第２の拡張をもつ第２のメッセージを第２の宛先デバイスに送信することをさらに提供する、請求項１３に記載のコンピュータ可読記憶媒体。
【請求項１５】
前記命令が、前記第２のメッセージおよび前記第１のメッセージの最終シンボル中のビットの最大数に基づいて、前記第１のメッセージおよび前記第２のメッセージをパディングすることをさらに提供する、請求項１４に記載のコンピュータ可読記憶媒体。
【請求項１６】
前記命令は、
前記第１のメッセージが低密度パリティチェック（ＬＤＰＣ）を使用して符号化されたかどうかを決定することと、および
前記第１のメッセージが低密度パリティチェックを使用して符号化されたことに応答して、前記第１のメッセージにシンボルを追加することと
をさらに提供する、請求項１３に記載のコンピュータ可読記憶媒体。
【請求項１７】
ワイヤレス通信ネットワークにおけるワイヤレス通信の方法であって、前記方法は、
データパケットの最終シンボル中のビットの数の指示と、追加のシンボルが前記データパケット中に含まれているかどうかの指示と、前記データパケットの前記最終シンボルの後のシグナリング拡張とを備える前記データパケットをワイヤレス通信デバイスによって、受信することと、
前記データパケット中のシグナリング拡張ディスアンビギュエーション指示とパケット長さ指示とを前記ワイヤレス通信デバイスによって、受信することと、
前記パケット長さ指示と前記シグナリング拡張ディスアンビギュエーション指示とに少なくとも部分的に基づいて、前記データパケットがそれの上で送信されるシンボルの数を決定することと、および
シンボルの前記数と、ビットの前記数と、および前記追加のシンボルが前記データパケット中に含まれているかどうかの前記指示とに少なくとも部分的に基づいて前記データパケットを前記ワイヤレス通信デバイスによって、処理することと
を備える、方法。
【請求項１８】
ワイヤレス通信ネットワークにおけるワイヤレス通信のための装置であって、前記装置は、
データパケットの最終シンボル中のビットの数の第１の指示と、追加のシンボルが前記データパケット中に含まれているかどうかの第２の指示と、および前記データパケットの前記最終シンボルの後のシグナリング拡張とを備える前記データパケットを受信することと、および
前記データパケット中のシグナリング拡張ディスアンビギュエーション指示とパケット長さ指示とを受信することと
を行うように構成された受信機と、および
前記パケット長さ指示と前記シグナリング拡張ディスアンビギュエーション指示とに少なくとも部分的に基づいて、前記データパケットがそれの上で送信されるシンボルの数を決定することと、および
シンボルの前記数と、ビットの前記数と、および前記追加のシンボルが前記データパケット中に含まれているかどうかの前記第２の指示とに少なくとも部分的に基づいて前記データパケットを復号することと
を行うように構成された電子ハードウェアプロセッサと
を備える、装置。
【発明の詳細な説明】
【背景技術】
【０００１】
技術分野
[0001]本開示のいくつかの態様は、一般にワイヤレス通信に関し、より詳細には、シングルおよびマルチユーザ信号拡張またはパディングのための方法および装置に関する。
背景技術
【０００２】
[0002]多くの電気通信システムでは、通信ネットワークは、いくつかの対話している空間的に分離されたデバイスの間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）に指定され得る。ネットワークはまた、様々なネットワークノードとデバイスとを相互接続するために使用されるスイッチング／ルーティング技法（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックトポロジーで形成される場合に好適である。ワイヤレスネットワークは、無線、マイクロ波、赤外線、光などの周波数帯域中の電磁波を使用する非誘導伝搬モードでは、無形物理媒体（intangible physical media）を採用する。ワイヤレスネットワークは、有利には、固定ワイヤードネットワークと比較して、ユーザモビリティと迅速なフィールド展開とを可能にする。
【０００４】
[0004]ワイヤレス通信システムのために要求される増加する帯域幅要件という問題に対処するために、複数のユーザ端末が、高いデータスループットを達成しながら、チャネルリソースを共有することによって単一のアクセスポイントと通信することを可能にするために、異なる方式が開発されている。しかしながら、ユーザ端末に送信されるデータの量が増加すると、ユーザ端末が、それが受信するデータを適切に処理するために、追加の処理時間が必要であり得る。したがって、シングルおよびマルチユーザ信号拡張またはパディングのための改善されたプロトコルが必要である。
【発明の概要】
【０００５】
[0005]添付の特許請求の範囲内のシステム、方法およびデバイスの様々な実装形態は、それぞれいくつかの態様を有し、それらのうちの単一の態様が、単独で、本明細書で説明される望ましい属性を担当するとは限らない。添付の特許請求の範囲を限定することなしに、いくつかの顕著な特徴が本明細書で説明される。
【０００６】
[0006]本明細書で説明される主題の１つまたは複数の実装形態の詳細が、添付の図面および以下の説明に記載されている。他の特徴、態様、および利点は、説明、図面、および特許請求の範囲から明らかになるであろう。以下の図の相対寸法は一定の縮尺で描かれていないことがあることに留意されたい。
【０００７】
[0007]本開示の一態様は、ワイヤレス通信ネットワークにおいて通信する方法を提供する。本方法は、複数のワイヤレス通信デバイスの各々について、それぞれ、複数のデータパケットを複数のワイヤレス通信デバイスの各々に送信するために必要とされるシンボルの数を決定することを備える。本方法は、複数のワイヤレス通信デバイスの各々について、複数のデータパケットの各々の最終シンボル中の有用ビットの部分を決定することをさらに含む。本方法は、複数のワイヤレス通信デバイスの各々について、有用ビットの部分と、複数のワイヤレス通信デバイスの各々の変調およびコーディング方式（ＭＣＳ）能力とに少なくとも部分的に基づいて、シグナリング拡張長さを決定することをさらに含む。本方法は、それぞれ、複数のワイヤレス通信デバイスの各々のための複数のデータパケットを生成することをさらに含み、各データパケットは、それぞれのワイヤレス通信デバイスのためのデータビットと、複数のデータパケットの各々の最終シンボルの後のシグナリング拡張に等しい長さの拡張とを備える。本方法は、それぞれ、複数データパケットを複数のワイヤレス通信デバイスの各々に送信することをさらに含む。一実施形態では、シグナリング拡張長さは、０μｓ、４μｓ、８μｓ、１２μｓまたは１６μｓのうちの１つである。いくつかの態様では、受信機に与えられた処理拡張は、０、８、または１６μｓであり得る。これは、メッセージに応答するためにＳＴＡに与えられた時間の総追加量であり得る。いくつかの態様では、信号拡張（ＳＥ：signal extension）は、０、４、８、１２、または１６μｓである。これは、パケット中の最後のシンボルの終わりに追加される時間の量である。処理拡張（ＰＥ：processing extension）は、ＳＥと、パケット中に含まれるPost-FECパディングビット（Post-FEC padding bit）を処理する必要がないことによりＳＴＡに与えられた追加の時間との和であり得る。
【０００８】
[0008]いくつかの態様では、本方法は、複数のワイヤレス通信デバイスの間で、シンボルの最大数と有用ビットの最大部分とを決定することをさらに含むことができ、ここにおいて、複数のデータパケットを生成することは、それぞれのワイヤレス通信デバイスのためのデータビットの長さに少なくとも部分的に基づいて、それぞれのワイヤレス通信デバイスのためのデータビットの後に、および最大数のシンボル中の有用ビットの最大部分によって示されるビットまで、パディングビットを含むように複数のデータパケットを生成することをさらに備える。様々な実施形態では、本方法は、複数のデータパケットの符号化方法に少なくとも部分的に基づいて、複数のワイヤレス通信デバイスのうちのいずれか１つが追加のショートシンボルを必要とするかどうかを決定することと、複数のワイヤレス通信デバイスのうちのいずれか１つが追加のショートシンボルを必要とする場合に、有用ビットの部分または必要とされるシンボルの数のうちの１つまたは複数を変更することとをさらに含むことができる。様々な態様では、本方法は、複数のデータパケットの各々中で、有用ビットの部分の指示と、シグナリング拡張ディスアンビギュエーション（disambiguation）指示と、複数のワイヤレス通信デバイスのうちのいずれか１つが追加のショートシンボルを必要とするかどうかの指示とを送信することをさらに含むことができる。
【０００９】
[0009]他の態様では、本方法は、複数のワイヤレス通信デバイスの各々について、それぞれのワイヤレス通信デバイスのためのシグナリング拡張長さが、他の複数のワイヤレス通信デバイスのためのシグナリング拡張長さよりも大きいかどうかを決定することと、それぞれのワイヤレス通信デバイスのためのデータパケットを送信するために必要とされるシンボルの数が、複数のワイヤレス通信デバイスのうちのいずれか１つのための複数のデータパケットを送信するために必要とされるシンボルの最大数よりも小さいかどうかを決定することと、それぞれのワイヤレス通信デバイスのための有用ビットの部分が、１００パーセントよりも小さいかどうかを決定することとをさらに備えることができる。これらの態様によれば、本方法は、それぞれのワイヤレス通信デバイスに必要とされるシンボルの数を１だけ減分することと、複数のワイヤレス通信デバイスのうちのいずれか１つが追加のショートシンボルを必要とする場合、それぞれのワイヤレス通信デバイスのための有用ビットの部分を１００パーセントに設定することと、他の場合、それぞれのワイヤレス通信デバイスのための有用ビットの部分を１００パーセントよりも小さく設定することとをさらに備え得る。
【００１０】
[0010]本開示の別の態様は、ワイヤレス通信ネットワークにおいて通信する別の方法を提供する。この態様によれば、本方法は、ワイヤレス通信デバイスによって、有用ビットの部分の指示と、追加のショートシンボルがデータパケット中に含まれているかどうかの指示と、データビットと、データパケットの最終シンボルの後のシグナリング拡張とを備えるデータパケットを受信することを備える。本方法は、有用ビットの部分と追加のショートシンボルがデータパケット中に含まれているかどうかの指示とに少なくとも部分的に基づいて、データパケットを処理することをさらに備える。いくつかの態様では、本方法は、ワイヤレス通信デバイスによって、データパケット中のシグナリング拡張ディスアンビギュエーション指示（signaling extension disambiguation indication）とパケット長さ指示とを受信することと、パケット長さ指示とシグナリング拡張ディスアンビギュエーション指示とに少なくとも部分的に基づいて、データパケットがそれの上で送信されるシンボルの数を決定することとをさらに備え得る。
【００１１】
[0011]開示される別の態様は、ワイヤレス通信ネットワークにおいてメッセージを拡張するための方法である。いくつかの態様では、本方法は、第１のメッセージの宛先デバイスの変調およびコーディング方式能力を決定することと、第１のメッセージの最終シンボル中のビットの数を決定することと、変調およびコーディング方式能力とビットの数とに基づいて、拡張の長さを決定することと、決定された長さの拡張をもつ第１のメッセージを宛先デバイスに送信することとを含む。いくつかの態様では、本方法は、第１のメッセージの送信と同時に、異なる長さの第２の拡張をもつ第２のメッセージを第２の宛先デバイスに送信することを含む。いくつかの態様では、拡張長さは、０μｓ、４μｓ、８μｓ、１２μｓまたは１６μｓのうちの１つである。いくつかの態様では、本方法は、第１および第２のメッセージの最終シンボル中のビットの最大数に基づいて、第１のメッセージおよび第２のメッセージをパディングすることをも含む。
【００１２】
[0012]いくつかの態様では、本方法は、最終シンボルの持続時間と拡張長さとの間の差を決定することと、差に基づいて、第１のメッセージ中でプロセシング拡張ディスアンビギュエーション指示（processing extension disambiguation indication）を示すこととを含む。いくつかの態様では、本方法は、第１のメッセージが低密度パリティチェック（ＬＤＰＣ：low density parity check）を使用して符号化されたかどうかを決定することと、第１のメッセージが低密度パリティチェックを使用して符号化されたことに応答して、第１のメッセージにシンボルを追加することとを含む。
【００１３】
[0013]開示される別の態様は、ワイヤレス通信ネットワークにおいて拡張を含む第１のメッセージを受信するための方法である。本方法は、ワイヤレス通信デバイスによって、パケットの最終シンボル中のビットの数の第１の指示と、追加のシンボルがデータパケット中に含まれているかどうかの第２の指示と、データパケットの最終シンボルの後のシグナリング拡張とを備えるデータパケットを受信することと、ビットの部分と追加のシンボルがデータパケット中に含まれているかどうかの第２の指示とに少なくとも部分的に基づいて、データパケットを処理することとを含む。いくつかの態様は、ワイヤレス通信デバイスによって、データパケット中のシグナリング拡張ディスアンビギュエーション指示とパケット長さ指示とを受信することと、パケット長さ指示とシグナリング拡張ディスアンビギュエーション指示とに少なくとも部分的に基づいて、データパケットがそれの上で送信されるシンボルの数を決定することと、シンボルの数に基づいてパケットを処理することとを行う。
【００１４】
[0014]開示される別の態様は、ワイヤレス通信ネットワークにおいて第１のメッセージを拡張するための装置である。本装置は、メッセージの宛先デバイスの変調およびコーディング方式能力を決定することと、メッセージの最終シンボル中のビットの数を決定することと、変調およびコーディング方式能力とビットの数とに基づいて、拡張の長さを決定することとを行うように構成された電子ハードウェアプロセッサと、決定された長さの拡張をもつ第１のメッセージを宛先デバイスに送信するように構成する送信機とを含む。いくつかの態様では、電子ハードウェアプロセッサは、第１のメッセージの送信と同時に、異なる長さの第２の拡張をもつ第２のメッセージを第２の宛先デバイスに送信するようにさらに構成される。いくつかの態様では、拡張長さは、０μｓ、４μｓ、８μｓ、１２μｓまたは１６μｓのうちの１つである。いくつかの態様では、電子ハードウェアプロセッサは、第１および第２のメッセージの最終シンボル中のビットの最大数に基づいて、第１のメッセージおよび第２のメッセージをパディングするようにさらに構成される。いくつかの態様では、電子ハードウェアプロセッサは、最終シンボルの持続時間と拡張長さとの間の差を決定することと、差に基づいて、第１のメッセージ中でプロセシング拡張ディスアンビギュエーション指示を示すこととを行うようにさらに構成される。いくつかの態様では、電子ハードウェアプロセッサは、第１のメッセージが低密度パリティチェック（ＬＤＰＣ）を使用して符号化されたかどうかを決定することと、第１のメッセージが低密度パリティチェックを使用して符号化されたことに応答して、第１のメッセージにシンボルを追加することとを行うようにさらに構成される。
【００１５】
[0015]開示される別の態様は、ワイヤレス通信ネットワークにおいて拡張を含む第１のメッセージを受信するための装置である。本装置は、パケットの最終シンボル中のビットの数の第１の指示と、追加のシンボルがデータパケット中に含まれているかどうかの第２の指示と、データパケットの最終シンボルの後のシグナリング拡張とを備えるデータパケットを受信するように構成された受信機と、ビットの部分と追加のシンボルがデータパケット中に含まれているかどうかの第２の指示とに少なくとも部分的に基づいて、データパケットを処理するように構成された電子ハードウェアプロセッサとを含む。いくつかの態様では、受信機は、データパケット中のシグナリング拡張ディスアンビギュエーション指示とパケット長さ指示とを受信するようにさらに構成され、ここにおいて、電子ハードウェアプロセッサは、パケット長さ指示とシグナリング拡張ディスアンビギュエーション指示とに少なくとも部分的に基づいて、データパケットがそれの上で送信されるシンボルの数を決定することと、シンボルの数に基づいてパケットを処理することとを行うようにさらに構成される。
【図面の簡単な説明】
【００１６】
【図１】[0016]アクセスポイントとユーザ端末とをもつ多元接続多入力多出力（ＭＩＭＯ）システムを示す図。
【図２】[0017]ＭＩＭＯシステムにおけるアクセスポイント１１０と２つのユーザ端末１２０ｍおよび１２０ｘとのブロック図。
【図３】[0018]ワイヤレス通信システム内で採用され得るワイヤレスデバイスにおいて利用され得る様々な構成要素を示す図。
【図４】[0019]一実施形態による、例示的なデータパケットを示す図。
【図５Ａ】[0020]一実施形態による、例示的なデータパケットの信号拡張（ＳＥ）をもつ様々な最終シンボルを示す図。
【図５Ｂ】[0021]一実施形態による、例示的なデータパケットの信号拡張（ＳＥ）をもつ様々な最終シンボルを示す図。
【図６】[0022]一実施形態による、ＳＥをもつデータパケットの例示的な送信を示す図。
【図７Ａ】[0023]一実施形態による、マルチユーザシナリオにおけるＳＥをもつデータパケットの例示的な送信を示す図。
【図７Ｂ】[0024]一実施形態による、マルチユーザシナリオにおけるＳＥをもつデータパケットの例示的な送信を示す図。
【図７Ｃ】[0025]一実施形態による、マルチユーザシナリオにおけるＳＥをもつデータパケットの別の例示的な送信を示す図。
【図８】[0026]ワイヤレス通信の例示的な方法の一態様のフローチャート。
【図９】[0027]ワイヤレス通信の例示的な方法の一態様のフローチャート。
【図１０】[0028]ワイヤレス通信の例示的な方法の一態様のフローチャート。
【図１１】[0029]ワイヤレス通信の例示的な方法の一態様のフローチャート。
【図１２】[0030]ワイヤレス通信の例示的な方法の一態様のフローチャート。
【詳細な説明】
【００１７】
[0031]添付の図面を参照しながら、新規のシステム、装置、および方法の様々な態様が以下でより十分に説明される。ただし、教示開示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の他の態様とは無関係に実装されるにせよ、本発明の他の態様と組み合わせられるにせよ、本明細書で開示される新規のシステム、装置、および方法のいかなる態様をもカバーするものであることを、当業者は諒解されたい。たとえば、本明細書に記載される態様をいくつ使用しても、装置は実装され得、または方法は実施され得る。さらに、本発明の範囲は、本明細書に記載される本発明の様々な態様に加えてまたはそれらの態様以外に、他の構造、機能、または構造および機能を使用して実施されるそのような装置または方法をカバーするものとする。本明細書で開示されるどの態様も請求項の１つまたは複数の要素によって実施され得ることを理解されたい。
【００１８】
[0032]本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１９】
[0033]ワイヤレスネットワーク技術は、様々なタイプのワイヤレスローカルエリアネットワーク（ＷＬＡＮ）を含み得る。ＷＬＡＮは、広く使用されるネットワーキングプロトコルを採用して、近接デバイスを互いに相互接続するために使用され得る。本明細書で説明される様々な態様は、Ｗｉ−Ｆｉ（登録商標）、またはより一般的には、ワイヤレスプロトコルの米国電気電子技術者協会（ＩＥＥＥ：Institute of Electrical and Electronics Engineers）８０２．１１ファミリーの任意のメンバーなど、任意の通信規格に適用され得る。
【００２０】
[0034]いくつかの態様では、ワイヤレス信号は、直交周波数分割多重（ＯＦＤＭ）、直接シーケンススペクトル拡散（ＤＳＳＳ：direct sequence spread spectrum）通信、ＭＩＭＯ、それらの何らかの組合せ、または他の方式を使用して、高効率８０２．１１プロトコルに従って送信され得る。高効率８０２．１１プロトコルの実装形態は、インターネットアクセス、センサー、計測、スマートグリッドネットワーク、または他のワイヤレス適用例のために使用され得る。有利には、この特定のワイヤレスプロトコルを実装するいくつかのデバイスの態様は、他のワイヤレスプロトコルを実装するデバイスよりも少ない電力を消費し得、短い距離にわたってワイヤレス信号を送信するために使用され得、および／または人間などの物体によって阻止される可能性が低い信号を送信することが可能であり得る。
【００２１】
[0035]いくつかの実装形態では、ＷＬＡＮは、ワイヤレスネットワークにアクセスする構成要素である様々なデバイスを含む。たとえば、２つのタイプのデバイス、すなわちアクセスポイント（「ＡＰ」）および（局または「ＳＴＡ」とも呼ばれる）クライアントがあり得る。概して、ＡＰはＷＬＡＮのためのハブまたは基地局として働き、ＳＴＡはＷＬＡＮのユーザとして働く。たとえば、ＳＴＡはラップトップコンピュータ、携帯情報端末（ＰＤＡ）、モバイルフォンなどであり得る。一例では、ＳＴＡは、インターネットまたは他のワイドエリアネットワークへの一般的接続性を取得するためにＷｉ−Ｆｉ（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００２２】
[0036]本明細書で説明される技法は、直交多重化方式に基づく通信システムを含む様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータをコンカレント（concurrently）に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＴＤＭＡシステムは、モバイル用グローバルシステム（ＧＳＭ（登録商標）：Global System for Mobile）または当技術分野で知られている何らかの他の規格を実装し得る。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは独立してデータで変調され得る。ＯＦＤＭシステムは、ＩＥＥＥ８０２．１１または当技術分野で知られている何らかの他の規格を実装し得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装し得る。
【００２３】
[0037]本明細書の教示は、様々なワイヤードまたはワイヤレス装置（たとえば、ノード）に組み込まれ得る（たとえば、その装置内に実装されるか、またはその装置によって実施され得る）。いくつかの態様では、本明細書の教示に従って実装されるワイヤレスノードはアクセスポイントまたはアクセス端末を備え得る。
【００２４】
[0038]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２５】
[0039]また、局（「ＳＴＡ」）は、ユーザ端末、アクセス端末（「ＡＴ」）、加入者局、加入者ユニット、移動局、リモート局、リモート端末、ユーザエージェント、ユーザデバイス、ユーザ機器、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽またはビデオデバイス、あるいは衛星ラジオ）、ゲームデバイスまたはシステム、全地球測位システムデバイス、あるいはワイヤレス媒体を介して通信するように構成された他の好適なデバイスに組み込まれ得る。
【００２６】
[0040]図１は、アクセスポイントとユーザ端末とをもつ多元接続多入力多出力（ＭＩＭＯ）システム１００を示す図である。簡単のために、ただ１つのアクセスポイント１１０が図１に示されている。アクセスポイントは、概して、ユーザ端末と通信する固定局であり、ユーザ端末またはＳＴＡは、固定または移動であり得、本明細書では簡単にワイヤレス通信デバイスと呼ばれることがある。アクセスポイント１１０は、ダウンリンクおよびアップリンク上で所与の瞬間において（ＵＴ１２０ａ〜ｉとして示される）１つまたは複数のワイヤレス通信デバイス１２０と通信し得る。ダウンリンク（すなわち、順方向リンク）はアクセスポイント１１０からワイヤレス通信デバイス１２０への通信リンクであり、アップリンク（すなわち、逆方向リンク）はワイヤレス通信デバイス１２０からアクセスポイント１１０への通信リンクである。ワイヤレス通信デバイス１２０はまた、別のワイヤレス通信デバイス１２０とピアツーピアで通信し得る。システムコントローラ１３０は、アクセスポイント１１０に結合し、アクセスポイント１１０のための協調および制御を行う。
【００２７】
[0041]以下の開示の部分は、空間分割多元接続（ＳＤＭＡ）を介して通信することが可能なワイヤレス通信デバイス１２０について説明するが、いくつかの態様では、ワイヤレス通信デバイス１２０は、ＳＤＭＡをサポートしないいくつかのワイヤレス通信デバイス１２０をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡワイヤレス通信デバイスが適切と見なされるときに導入されることを可能にしながら、ＳＤＭＡをサポートしないより古いバージョンのワイヤレス通信デバイス１２０（「レガシー」局）が企業において展開されたままであることを可能にし、それらの有効寿命を延長し得る。
【００２８】
[0042]システム１００は、ダウンリンクおよびアップリンク上でのデータ送信のために複数の送信アンテナと複数の受信アンテナとを採用する。アクセスポイント１１０は、Ｎａｐ個のアンテナを装備し、ダウンリンク送信では多入力（ＭＩ）を表し、アップリンク送信では多出力（ＭＯ）を表す。Ｋ個の選択されたワイヤレス通信デバイス１２０のセットは、ダウンリンク送信では多出力をまとめて表し、アップリンク送信では多入力をまとめて表す。純粋なＳＤＭＡの場合、Ｋ個のワイヤレス通信デバイスのためのデータシンボルストリームが、何らかの手段によって、コード、周波数または時間において多重化されない場合、Ｎａｐ≦Ｋ≦１が成り立つことが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮａｐよりも大きくなり得る。各選択されたワイヤレス通信デバイスは、アクセスポイントにユーザ固有データを送信し、および／またはアクセスポイントからユーザ固有データを受信し得る。概して、各選択されたワイヤレス通信デバイスは、１つまたは複数のアンテナを装備し得る（すなわち、Ｎｕｔ≧１）。Ｋ個の選択されたワイヤレス通信デバイスは同じ数のアンテナを有することができるか、または、１つまたは複数のワイヤレス通信デバイスは異なる数のアンテナを有し得る。
【００２９】
[0043]システム１００は、時分割複信（ＴＤＤ）または周波数分割複信（ＦＤＤ）による、ＳＤＭＡシステムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。システム１００はまた、送信のために単一のキャリアまたは複数のキャリアを利用するＭＩＭＯシステムであり得る。各ワイヤレス通信デバイス１２０は、（たとえば、コストを抑えるために）単一のアンテナを装備するか、または（たとえば、追加コストがサポートされ得る場合）複数のアンテナを装備し得る。システム１００は、送信／受信を異なるタイムスロットに分割することによってワイヤレス通信デバイス１２０が同じ周波数チャネルを共有する場合、ＴＤＭＡシステムでもあり得、ここで、各タイムスロットは異なるワイヤレス通信デバイス１２０に割り当てられ得る。
【００３０】
[0044]図２は、（ＭＩＭＯシステムとして示される）システム１００における、アクセスポイント１１０と（ユーザ端末１２０ｍおよびユーザ端末１２０ｘとして示される）２つのワイヤレス通信デバイスとのブロック図を示す。アクセスポイント１１０はＮｔ個のアンテナ２２４ａおよび２２４ａｐを装備する。ユーザ端末１２０ｍはＮｕｔ，ｍ個のアンテナ２５２ｍａおよび２５２ｍｕを装備し、ユーザ端末１２０ｘはＮｕｔ，ｘ個のアンテナ２５２ｘａおよび２５２ｘｕを装備する。アクセスポイント１１０は、ダウンリンクでは送信エンティティであり、アップリンクでは受信エンティティである。ワイヤレス通信デバイス１２０は、アップリンクでは送信エンティティであり、ダウンリンクでは受信エンティティである。本明細書で使用される「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のワイヤレス通信デバイス１２０がアップリンク上での同時送信のために選択され、Ｎdl個のワイヤレス通信デバイス１２０がダウンリンク上での同時送信のために選択される。ＮupはＮdnに等しいことも等しくないこともあり、ＮupおよびＮdnは静的な値であり得るか、または各スケジューリング間隔について変化し得る。ビームステアリングまたは何らかの他の空間処理技法がアクセスポイント１１０および／またはワイヤレス通信デバイス１２０において使用され得る。
【００３１】
[0045]アップリンク上で、アップリンク送信のために選択された各ワイヤレス通信デバイス１２０において、ＴＸデータプロセッサ２８８が、データソース２８６からトラフィックデータを受信し、コントローラ２８０から制御データを受信する。ＴＸデータプロセッサ２８８は、ワイヤレス通信デバイス１２０のために選択されたレートに関連付けられたコーディングおよび変調方式に基づいてワイヤレス通信デバイス１２０のためのトラフィックデータを処理（たとえば、符号化、インターリーブ、および変調）し、データシンボルストリームを与える。ＴＸ空間プロセッサ２９０は、データシンボルストリームに対して空間処理を実施し、Ｎｕｔ，ｍ個の送信シンボルストリームをＮｕｔ，ｍ個のアンテナに与える。各送信機ユニット２５４は、アップリンク信号を生成するために、それぞれの送信シンボルストリームを受信し、処理（たとえば、アナログ変換、増幅、フィルタ処理、および周波数アップコンバート）する。Ｎｕｔ，ｍ個の送信機／受信機ユニット２５４は、Ｎｕｔ，ｍ個のアンテナ２５２からの送信のために、たとえばアクセスポイント１１０に送信するために、Ｎｕｔ，ｍ個のアップリンク信号を与える。
【００３２】
[0046]Ｎup個のワイヤレス通信デバイス１２０が、アップリンク上での同時送信のためにスケジュールされ得る。これらのワイヤレス通信デバイス１２０の各々は、それのそれぞれのデータシンボルストリームに対して空間処理を実施し、アップリンク上で送信シンボルストリームのそれのそれぞれのセットをアクセスポイント１１０に送信し得る。
【００３３】
[0047]アクセスポイント１１０において、Ｎup個のアンテナ２２４ａ〜２２４ａｐは、アップリンク上で送信するすべてのＮup個のワイヤレス通信デバイス１２０からアップリンク信号を受信する。各アンテナ２２４は、受信信号をそれぞれの受信機ユニット２２２に与える。各送信機／受信機ユニット２２２は、送信機／受信機ユニット２５４によって実施される処理を補足する処理を実施し、受信シンボルストリームを与える。受信空間プロセッサ２４０は、Ｎup個の送信機／受信機ユニット２２２からのＮup個の受信シンボルストリームに対して受信機空間処理を実施し、Ｎup個の復元アップリンクデータシンボルストリーム（ recovered uplink data symbol stream）を与える。受信機空間処理は、チャネル相関行列反転（ＣＣＭＩ：channel correlation matrix inversion）、最小平均２乗誤差（ＭＭＳＥ：minimum mean square error）、ソフト干渉消去（ＳＩＣ：soft interference cancellation）、または何らかの他の技法に従って実施され得る。各復元アップリンクデータシンボルストリームは、それぞれのユーザ端末によって送信されたデータシンボルストリームの推定値である。受信データプロセッサ２４２は、復号データを取得するために、そのストリームのために使用されたレートに応じて各復元アップリンクデータシンボルストリームを処理（たとえば、復調、デインターリーブ、および復号）する。各ワイヤレス通信デバイス１２０のための復号データは、記憶のためにデータシンク２４４に与えられ、および／またはさらなる処理のためにコントローラ２３０に与えられ得る。
【００３４】
[0048]ダウンリンク上で、アクセスポイント１１０において、ＴＸデータプロセッサ２１０が、ダウンリンク送信のためにスケジュールされたＮｄｎ個のワイヤレス通信デバイス１２０のためのトラフィックデータをデータソース２０８から受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ワイヤレス通信デバイス１２０のために選択されたレートに基づいてそのワイヤレス通信デバイス１２０のためのトラフィックデータを処理（たとえば、符号化、インターリーブ、および変調）する。ＴＸデータプロセッサ２１０はＮdn個のダウンリンクデータシンボルストリームをＮdn個のワイヤレス通信デバイス１２０に与える。ＴＸ空間プロセッサ２２０は、Ｎdn個のダウンリンクデータシンボルストリームに対して（プリコーディングまたはビームフォーミングなどの）空間処理を実施し、Ｎup個の送信シンボルストリームをＮup個のアンテナに与える。各送信機／受信機ユニット２２２は、ダウンリンク信号を生成するために、それぞれの送信シンボルストリームを受信し、処理する。Ｎup個の送信機／受信機ユニット２２２は、Ｎup個のアンテナ２２４からの送信のために、たとえばワイヤレス通信デバイス１２０に送信するために、Ｎup個のダウンリンク信号を与え得る。
【００３５】
[0049]各ワイヤレス通信デバイス１２０において、Ｎｕｔ，ｍ個のアンテナ２５２はアクセスポイント１１０からＮup個のダウンリンク信号を受信する。各送信機／受信機ユニット２５４は、関連付けられたアンテナ２５２からの受信信号を処理し、受信シンボルストリームを与える。受信空間プロセッサ２６０は、Ｎｕｔ，ｍ個の送信機／受信機ユニット２５４からのＮｕｔ，ｍ個の受信シンボルストリームに対して受信機空間処理を実施し、復元したダウンリンクデータシンボルストリームをワイヤレス通信デバイス１２０に与える。受信機空間処理は、ＣＣＭＩ、ＭＭＳＥ、または何らかの他の技法に従って実施され得る。受信データプロセッサ２７０は、ワイヤレス通信デバイス１２０のための復号データを取得するために、復元したダウンリンクデータシンボルストリームを処理（たとえば、復調、デインターリーブおよび復号）する。
【００３６】
[0050]各ワイヤレス通信デバイス１２０において、チャネル推定器２７８は、ダウンリンクチャネル応答を推定し、チャネル利得推定値、信号対雑音比（ＳＮＲ）推定値、雑音分散などを含み得る、ダウンリンクチャネル推定値を与える。同様に、チャネル推定器２２８は、アップリンクチャネル応答を推定し、アップリンクチャネル推定値を与える。各ユーザ端末のためのコントローラ２８０は、一般に、そのワイヤレス通信デバイス１２０のためのダウンリンクチャネル応答行列Ｈｄｎ，ｍに基づいてワイヤレス通信デバイス１２０のための空間フィルタ行列を導出する。コントローラ２３０は、有効アップリンクチャネル応答行列Ｈｕｐ，ｅｆｆに基づいてアクセスポイント１１０のための空間フィルタ行列を導出する。各ワイヤレス通信デバイス１２０のためのコントローラ２８０は、フィードバック情報（たとえば、ダウンリンクおよび／またはアップリンク固有ベクトル、固有値、ＳＮＲ推定値など）をアクセスポイント１１０に送り得る。コントローラ２３０およびコントローラ２８０はまた、それぞれ、アクセスポイント１１０およびワイヤレス通信デバイス１２０における様々な処理ユニットの動作を制御し得る。
【００３７】
[0051]図３は、ワイヤレス通信システム１００内で採用され得るワイヤレス通信デバイス３０２において利用され得る様々な構成要素を示す。ワイヤレス通信デバイス３０２は、本明細書で説明される様々な方法を実装するように構成され得るデバイスの一例である。ワイヤレス通信デバイス３０２はアクセスポイント１１０またはワイヤレス通信デバイス１２０を実装し得る。
【００３８】
[0052]ワイヤレス通信デバイス３０２は、ワイヤレス通信デバイス３０２の動作を制御する電子ハードウェアプロセッサ３０４を含み得る。プロセッサ３０４は中央処理ユニット（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、メモリ３０６内に記憶されたプログラム命令に基づいて論理演算と算術演算とを実施し得る。メモリ３０６中の命令は、本明細書で説明される方法を実装するために実行可能であり得る。
【００３９】
[0053]プロセッサ３０４は、１つまたは複数のプロセッサとともに実装された処理システムを備えるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、あるいは情報の計算または他の操作を実施することができる任意の他の好適なエンティティの任意の組合せを用いて実装され得る。
【００４０】
[0054]処理システムは、ソフトウェアを記憶するための機械可読媒体をも含み得る。ソフトウェアは、ソフトウェア、ファームウェア、ミドルウェア、マイクロコード、ハードウェア記述言語などの名称にかかわらず、任意のタイプの命令を意味すると広く解釈されたい。命令は、（たとえば、ソースコード形式、バイナリコード形式、実行可能コード形式、または任意の他の好適なコード形式の）コードを含み得る。命令は、１つまたは複数のプロセッサによって実行されたとき、本明細書で説明される様々な機能を処理システムに実施させる。
【００４１】
[0055]ワイヤレス通信デバイス３０２はまた、ワイヤレス通信デバイス３０２と遠隔ロケーションとの間のデータの送信および受信を可能にするために送信機３１０と受信機３１２とを含み得るハウジング３０８を含み得る。送信機３１０と受信機３１２とは組み合わせられてトランシーバ３１４になり得る。単一または複数のトランシーバアンテナ３１６が、ハウジング３０８に取り付けられ、トランシーバ３１４に電気的に結合され得る。ワイヤレス通信デバイス３０２はまた、複数の送信機と、複数の受信機と、複数のトランシーバとを含み得る（図示せず）。
【００４２】
[0056]ワイヤレス通信デバイス３０２はまた、トランシーバ３１４によって受信された信号のレベルを検出し、定量化するために使用され得る信号検出器３１８を含み得る。信号検出器３１８は、そのような信号を、総エネルギー、シンボルごとのサブキャリア当たりのエネルギー、電力スペクトル密度および他の信号として検出し得る。ワイヤレス通信デバイス３０２は、信号を処理する際に使用するためのデジタル信号プロセッサ（ＤＳＰ）３２０をも含み得る。
【００４３】
[0057]ワイヤレス通信デバイス３０２の様々な構成要素は、データバスに加えて、電力バスと、制御信号バスと、ステータス信号バスとを含み得る、バスシステム３２２によって互いに結合され得る。
【００４４】
[0058]本開示のいくつかの態様は、複数のＳＴＡからＡＰにデータパケットを送信することをサポートする。いくつかの実施形態では、データパケットは、マルチユーザＭＩＭＯ（ＭＵ−ＭＩＭＯ）システムにおいて送信され得る。代替的に、データパケットは、マルチユーザＦＤＭＡ（ＭＵ−ＦＤＭＡ）、マルチユーザＯＦＤＭＡ（ＭＵ−ＯＦＤＭＡ）または同様の周波数分割多元接続（ＦＤＭＡ）システムにおいて送信され得る。これらの実施形態では、アップリンクＭＵ−ＭＩＭＯ、アップリンクＯＦＤＭＡ、または同様のアップリンクＦＤＭＡシステム送信は、複数のＳＴＡからＡＰに同時に送られることがあり、ワイヤレス通信における効率をもたらし得る。
【００４５】
[0059]図４は、一実施形態による、例示的なデータパケット４００を示す。いくつかの態様では、ワイヤレス通信デバイス１２０のうちの１つまたは複数が、データパケット４００をＡＰ１１０に送信し得る。いくつかの態様では、ＡＰ１１０は、データパケット４００をワイヤレス通信デバイス１２０のうちの１つまたは複数に送信し得る。様々な態様では、データパケット４００は複数のシンボル上で送信される。データパケット４００を送信するために使用されるシンボルの数は、それのコンテンツに応じて大幅に変動することがある。図示のように、データパケット４００は、レガシープリアンブル４０２と、高効率（ＨＥ：high efficiency）プリアンブル４０４と、ＨＥデータ４０６〜４１０とを備える。
【００４６】
[0060]様々な態様では、データパケット４００は、ＩＥＥＥ８０２．１１ａｘフォーマットに従って送信されるデータを含み得る。これらの態様によれば、データパケット４００中で送信される情報の量は、他のプロトコル（たとえば、８０２．１１ａ）に従って送信される情報よりも約４倍多くなり得る。様々な実施形態では、複数のデータパケット４００が、受信デバイス（たとえば、ワイヤレス通信デバイス１２０またはＡＰ１１０）に連続して送信され得る。これらの実施形態によれば、複数のデータパケット４００の連続する送信間にＳＩＦＳ（ショートフレーム間スペース）のみがあり得る。しかしながら、パケット間のＳＩＦＳ時間期間は、パケット４００を受信するデバイスが、第２のパケットが到着する前にパケットを完全に処理するのに十分な量の処理時間でないことがある。これは、特に、パケット４００が、たとえば、８０２．１１ａパケットの４倍の情報を有する場合であり得る。したがって、受信デバイスに追加の処理時間を与えるための様々なシステムおよび方法が説明される。
【００４７】
[0061]図５Ａ〜Ｂは、一実施形態による、例示的なデータパケットの信号拡張（ＳＥ）をもつ様々な最終シンボルを示す。いくつかの態様では、送信デバイス（たとえば、ワイヤレス通信デバイス１２０またはＡＰ１１０）が、受信デバイスに追加の処理時間を与えるために、データ送信の最終シンボルの終わりにＳＥを付加し得る。受信デバイスがデータ送信の最終シンボルの少なくとも一部分中で「有用」な情報を受信していない場合、受信デバイスは、「有用」でないビットを処理することを必要とされない。これにより、受信機が、最後のシンボル中のより少ない数のビットを処理することが可能になり、これは、より小さい量の時間中に（シグナリング拡張（ＳＥ）が最後のシンボルに追加されたとき、ＳＩＦＳ＋ＳＥ時間内に、またはＳＥが追加されない場合、ＳＩＦＳのみの内に）完了され得る。
【００４８】
[0062]有用ビットは、たとえば、データパケット中に含まれるユーザデータを符号化するデータビット、および、いくつかの態様では、パケットからデータビットを適切に復号するのに必要なビットを含み得る。いくつかの態様では、有用ビットは第１のタイプのビットであり得、他のビットは第２のタイプのビットであり得る。いくつかの態様では、有用ビットは、レイヤードプロトコルアーキテクチャにおける第１のレイヤに関連付けられたビットであり得る。たとえば、８０２．１１を使用するいくつかの態様では、８０２．１１プロトコルは、シグナリング目的で、各パケット中の１つまたは複数のビットを利用し得る。パケット中の他のビットは、上位レイヤ、たとえば、アプリケーションレイヤによって与えられ得る。いくつかの態様では、上位レイヤ、すなわち、８０２．１１より上のレイヤによって与えられるビットは、有用ビットと見なされ得る。これらの上位レイヤビットは第１のタイプのビットと見なされ得、８０２．１１シグナリングのために利用されるビットは第２のタイプのビットと見なされ得る。いくつかの態様では、有用ビットは、より高いレベルのプロトコルまたはアプリケーションレイヤから受信されたデータビットを符号化するために利用され得る。
【００４９】
[0063]したがって、いくつかの態様では、ＳＥの量、長さ、またはサイズは、どのくらいの情報が最終シンボル中に残っているか（「超過（excess）」とも呼ばれる）に依存することがある。様々な態様では、どのくらいの情報が最終シンボル中に残っているかに基づいて、４つの異なるサイズのＳＥが使用され得る。いくつかの態様では、各サイズは、割合（たとえば、２５％、５０％、７５％、１００％）に対応し得るが、整数（たとえば、１〜４）または２ビット指示（たとえば、００、０１、１０、または１１）によって表され得る。これらの態様によれば、（「ａ」、「ａファクタ」、または「ａ値」とも呼ばれる）様々なカットオフが、送信および受信デバイスによって利用され得る。たとえば、「ａ＝１」は、最終シンボルの第１の４分の１（first quarter）を指すことがあり、「ａ＝２」は、最終シンボルの第２の４分の１（second quarter）を指すことがあり、「ａ＝３」は、最終シンボルの第３の４分の１（third quarter）を指すことがあり、「ａ＝４」は、最終シンボルの第４の４分の１（fourth quarter）を指すことがある。ａ値について４つの値が本明細書で説明されるが、他の数が使用され得ることが諒解されよう。いくつかの態様では、ａ値は、データ送信の最終シンボル中の「有用ビット」の部分を指すことがある（たとえば、１のａ値は、第１の４分の１のビットが受信デバイスに情報を伝達することを示すことができ、２のａ値は、第１の２分の１（first half）のビットが受信デバイスによって使用され得る情報を伝達することを示すことができる）。
【００５０】
[0064]様々な態様では、このデータを送信するデバイスは、送信全体（たとえば、データパケット４００）に関する情報に基づいて、アプリオリに、最終シンボル中の超過情報ビットの長さ、および次に、どんな値「ａ」をパケット中に含めるべきかを決定することが可能であり得る。その後、このデータを受信するデバイスは、データに関する情報（たとえば、パケットの長さ）に基づいて、どんなａ値を使用すべきかを決定することが可能であり得る。
【００５１】
[0065]図５Ａに示されている、パケット５１２ａはａ＝１で示されている。パケット５１２ａは、パケット５１２ａの最終シンボル５１０ａの第１の４分の１内に残っている超過情報ビット５０２ａを含む。いくつかの態様では、送信デバイスは、シンボル５１０ａの第１の４分の１（２５％）に対応する境界まで、Pre-FEC（フレーム誤り検査）パディングビット５０４ａを追加し得る。シンボル５１０ａを処理するときに、受信デバイスは、Pre-FECパディングビット５０４ａの終わりまでのビットを処理するにすぎないことがある。したがって、Post-FECパディングフィールド５０６ａおよびＳＥ１フィールド５０８ａ中に含まれるビットは、パケット５１２ａを受信するデバイスによって受信されるが、処理されないことがある。
【００５２】
[0066]いくつかの態様では、送信デバイスは、シンボル５１０ａの終わりに、いくつかの場合にはPre-FECパディングビットの後に、Post-FECパディングビット５０６ａを追加し得、パケット５１２ａの終わりに第１の長さのＳＥ５０８ａを追加し得る。これらの態様によれば、受信デバイスは、それが受信されたビットを処理するために通常必要とするであろう時間に対応する時間を使用し得、Post-FECパディングビット５０６ａおよびＳＥ５０８ａを処理または復号するのではなく、デバイスがパケット５１２ａ中で受信された他の情報を処理し得る。シンボル５１０ａおよびＳＥ５０８ａの終わりが送信された後のＳＩＦＳ時間期間後に、パケット５１２ａの送信デバイスは別のデータパケットを送信し得る。
【００５３】
[0067]パケット５１２ｂは、ａ＝２（シンボル５１０ｂの第１の２分の１内に超過情報ビット５０２ｂ）であるとき、第２の長さのＳＥ５０８ｂを含み得る。パケット５１２ｂはまた、シンボル５１０ｂ内にPre-FECパディングビット５０４ｂとPost-FECパディングビット５０６ｂとを含むように生成され得る。図５Ａは一定の縮尺でないことに留意されたい。
【００５４】
[0068]図５Ｂを参照すると、パケット５１２ｃは、ａ＝３（シンボル５１０ｃの第１の４分の３内に超過情報ビット５０２ｃ）であるとき、第３の長さのＳＥ５０８ｃを含み得る。パケット５１２ｃはまた、シンボル５１０ｃ内にPre-FECパディングビット５０４ｃとPost-FECパディングビット５０６ｃとを含むように生成され得る。
【００５５】
[0069]パケット５１２ｄは、ａ＝４（シンボル５１０ｄのすべての４つの４分の１内に超過情報ビット５０２ｄ）であるとき、第４の長さのＳＥ５０８ｄを含み得る。パケット５１２ｄは、シンボル５１０ｄ内にPre-FECパディングビット５０４ｄとPost-FECパディングビット５０６ｄとを含み得る。様々な態様では、第１の長さは４μｓであり得、第２の長さは８μｓであり得、第３の長さは１２μｓであり得、第４の長さは１６μｓであり得る。いくつかの態様では、パケット５１２ａ〜ｄのうちの１つまたは複数は、ＳＥフィールド５０８ａ〜ｄを含まないことがある。
【００５６】
[0070]図６は、一実施形態による、ＳＥをもつデータパケット６００の例示的な送信を示す。図示のように、パケット６００は、レガシープリアンブルおよびＨＥプリアンブル６０２と、複数のシンボル６０４上で送信されるＨＥデータ１〜Ｎと、終わりに付加されるＳＥ６０６とを備える。６０４内の個々のシンボルの各々は、データシンボル持続時間（図示せず）を有する。いくつかの態様では、パケット６００を受信するデバイスは、送信長さに少なくとも部分的に基づいて、パケット６００を受信するために必要とされるシンボルの数を計算し得る。
【００５７】
[0071]いくつかの態様では、パケット６００の送信長さは、レガシープリアンブルまたはＨＥプリアンブル６０２中で与えられる。しかしながら、送信長さの量子化が、「丸め誤差」Δによるあいまいさ（ambiguity）を生じ得る。したがって、様々な態様では、送信または受信デバイスは、適用されたＳＥが、丸め誤差Δに基づく処理非効率（processing inefficiencies）を生じることになると決定し得る。たとえば、一態様では、パケット６００の送信または受信デバイスは、適用されたＳＥ６０６の長さ＋丸め誤差Δの長さが、上記で説明されたデータシンボル持続時間よりも大きいと決定し得る。
【００５８】
[0072]したがって、送信デバイスは、この問題が存在するか否かを受信デバイスに示すために、パケット６００の一部として、「ＳＥディスアンビギュエーション指示（SE disambiguation indication）」（またはビット）を送信し得る。したがって、いくつかの態様では、送信デバイスは、この問題が存在するとき、ＳＥディスアンビギュエーション指示を「１」の値に設定することができ、受信デバイスは、この指示に少なくとも部分的に基づいて、（たとえば、送信を受信するときに受信デバイスによって計算された）パケット６００内の計算された数シンボルを１だけ低減し得る。
【００５９】
[0073]図７Ａは、一実施形態による、マルチユーザシナリオにおけるＳＥをもつデータパケット７０５ａ〜ｂの例示的な送信７００ａを示す。上記で説明されたように、ＡＰ１１０は、一度に２つ以上のワイヤレス通信デバイス１２０にパケットを送信し得る。これらの態様によれば、各ワイヤレス通信デバイス１２０に送信されるパケットの各々内のデータは変動し得る。いくつかの態様では、複数のパケットの長さが同じになるように、より少ないデータを含むパケットに情報（たとえば、パディングビット）を追加することが望ましいことがある。上記で説明されたように、いくつかの態様では、受信デバイスに追加の処理時間を与えるために、パケットにＳＥを追加することは有益であり得る。様々な態様では、ＳＥがパケットのうちの１つの終わりに必要とされる場合、ＳＥは、送信のすべてが同じサイズのものになるように、パケットのすべての終わりに追加される。たとえば、図示のように、第１の局ＳＴＡ１（たとえば、ワイヤレス通信デバイス１２０）によって受信されたパケット７０５ａは、第２の局ＳＴＡ２の処理の必要性に基づいて、ＳＥ７０６ａを備え得る。第１の局ＳＴＡ１がＳＥ７０６ａをもつパケット７０５ａを受信したとき、第１の局ＳＴＡ１はＳＥ７０６ａを無視し得る。
【００６０】
[0074]図７Ｂは、一実施形態による、マルチユーザシナリオにおけるＳＥをもつデータパケット７１０ａ〜ｂの例示的な送信７００ｂを示す。様々な態様では、シグナリング拡張（ＳＥ）７１１ａ〜ｂが、データ送信の終わりに（たとえば、最後のデータパケットの最後のシンボルの後に）追加され得る。いくつかの態様では、受信デバイスは、変調およびコーディング方式（ＭＣＳ）に従って通信を受信し得る。たとえば、図７Ｂ中の第１の局ＳＴＡ１は、ＭＣＳ２に従って通信を受信し得、第２の局ＳＴＡ２は、ＭＣＳ７に従って通信を受信し得る。したがって、様々な実施形態では、マルチユーザ送信は、受信デバイスの各異なるＭＣＳのために専用化されたＳＥを利用し得る。様々な実施形態では、ＳＥは、別のデータ送信が送られる前に受信デバイスが通信を処理しなければならない処理時間の量を拡張するために、データ送信の終わりに追加され得る。一態様では、ＳＥは、０μｓ、８μｓ、または１６μｓのうちのいずれか１つであり得る。
【００６１】
[0075]いくつかの態様では、受信デバイスが、関連付け時に、それのＭＣＳ能力（たとえば、しきい値）をシグナリングし得る。これらのしきい値は、受信デバイスが使用しているＭＣＳに基づいて、受信デバイスが追加の処理時間なしに通信を受信することが可能であるかどうかを示し、場合によっては、追加の処理時間が必要とされる場合、どのくらいかを示し得る。一態様では、関連付けプロシージャ中に、ワイヤレス通信デバイス１２０が、ＡＰ１１０に２つのしきい値をシグナリングするために、８ビットを使用し得る。ビットのうちの最初の４つは、第１のＭＣＳしきい値に対応することができ、後の４ビットは、第２のＭＣＳしきい値に対応することができる。これらのしきい値の一実施形態が、以下の表１で与えられる。たとえば、ワイヤレス通信デバイス１２０は、それが、ＭＣＳ０〜ＭＣＳ３の場合に処理時間の０μｓ、ＭＣＳ４〜ＭＣＳ７の場合に処理時間の８μｓ、およびＭＣＳ８以上の場合に処理時間の１６μｓを必要とすることをシグナリングするために、関連付け中に「００１１０１１０」をシグナリングし得る。
【００６２】
【表１】
0006633177.tif 000002
【００６３】
[0076]図７Ｃは、一実施形態による、マルチユーザシナリオにおけるＳＥをもつデータパケット７２０ａ〜ｂの別の例示的な送信７００ｃを示す。いくつかの態様では、最後のデータシンボル全体が第１の局ＳＴＡ１のための有用ビットを含んでいることがあるが、第１の局ＳＴＡ１は、第１の局ＳＴＡ１が送信７００ｃのそれの部分を受信するために利用しているＭＣＳに基づいて、追加の処理時間を必要としないことがある。さらに、いくつかの態様では、第２の局ＳＴＡ２は、利用されるＭＣＳに基づいて、それが追加の処理時間の１６μｓを必要とすることを示していることがあり、第２の局ＳＴＡ２のための最後のデータシンボルは、有用ビットを含んでいないことがある。したがって、関連付けにおいて示された第２の局のＳＴＡ２しきい値に基づいて、送信７００ｃの終わりに１６μｓのＳＥを自動的に追加するのではなく、送信デバイスは、第２の局ＳＴＡ２が、依然として、それが必要とする１６μｓを与えられ得るように、第２の局ＳＴＡ２のための送信の最終データシンボルをパディングし得る。いくつかの他の態様では、１６μｓのシグナリング拡張が追加され得る。このソリューションを与えるための方法および装置が、以下でさらに詳細に説明される。
【００６４】
[0077]図８は、ワイヤレス通信の例示的なプロセス８００の一態様のフローチャートである。プロセス８００はまた、ワイヤレス通信の方法と見なされ得る。プロセス８００は、いくつかの態様では、図３に関して上記で説明されたデバイス３０２によって実施され得る。たとえば、いくつかの態様では、メモリ３０６に記憶された命令は、プロセス８００に関して上記で説明された機能のうちの１つまたは複数を実施するようにプロセッサ３０４を構成し得る。
【００６５】
[0078]いくつかの態様では、プロセス８００は、ＳＥをもつデータをＡＰ１１０からワイヤレス通信デバイス１２０に送信するために利用され得る。プロセス８００の開始より前に、送信されるべきデータのコンテンツと、データがそれに送信されるべきであるワイヤレス通信デバイス１２０とは、知られ得る。
【００６６】
[0079]プロセス８００のブロック８０５は、対応する複数のデータビットを各ＳＴＡに送信するために必要とされるシンボルの対応する数（Ｎsym,u）と対応するａ値（ａu）とを決定する。この決定は、各ＳＴＡのためのデータビットを含む送信の最初の初期パケットサイズに対して少なくとも部分的に行われ得る。さらに、ａ値は、１、２、３、または４のうちの１つであり得、上記で説明された４つの境界のうちの１つに対応し得る。いくつかの態様では、各ＳＴＡのためのａ値は、対応する複数のデータビットを対応するＳＴＡに送信するために必要とされるシンボルの最終シンボル中の有用ビットの対応する部分に基づき得る。いくつかの態様では、有用ビットの部分は、対応する複数のデータビットを符号化するビットの部分であり得る。
【００６７】
[0080]ブロック８１０において、複数のデータビットのためのシンボルの最大数（Ｎsym,init）およびビットの最大部分（ａ値（ａinit））が、すべてのＳＴＡのためのシンボルの決定された数およびａ値に基づいて決定される。いくつかの態様では、ビットの最大部分は、有用ビットの最大部分であり得る。いくつかの態様では、シンボルの最大数は、最大のａ値とは別に決定され得る。他の態様では、最大のａ値は、送信されるべきシンボルの最大数を有するＳＴＡに関連付けられる。この決定は、以下の式に従って行われ得る。
【００６８】
[0081]
【数１】
0006633177.tif 000003
【００６９】
[0082]
【数２】
0006633177.tif 000004
−＞送信されるべきシンボルの最大数を有するｋ番目のユーザを選択する。
【００７０】
[0083]ａinit＝ａk−＞送信されるべきシンボルの最大数を有するユーザに対応するａ値としてａinitを選択する。
【００７１】
[0084]ブロック８１５において、最大のａ値（ａinit）によって識別された境界まで、データがシンボルの最大数（Ｎsym,init）の総数を満たすまで、Pre-FECパディングがＳＴＡのために適用される。その結果、パディングを含むデータパケットの各々の長さは、同じであり得る。Pre-FECパディングは、メディアアクセス制御（ＭＡＣ）レイヤによって適用され、ＳＴＡによって復号されるべき情報ビットの一部であると見なされる。
【００７２】
[0085]ブロック８２０は、ワイヤレス通信デバイス（ＳＴＡ）のいずれかが、追加のショートシンボルなど、追加のシンボルを必要とするかどうかを決定する。いくつかの態様では、ＳＴＡは、ＳＴＡに送信されたデータパケットの符号化方法により、追加のショートシンボルを必要とし得る。たとえば、低密度パリティチェック（ＬＤＰＣ）符号化されたパケットは、いくつかの態様では、追加のショートシンボルを必要とし得る。一態様では、ショートシンボルは、シンボルの長さの４分の１に対応する。この態様によれば、ブロック８２０のいくつかの態様は、複数のワイヤレス通信デバイスのうちのいずれか１つが追加のショートシステムを必要とする場合に、有用ビットの部分または必要とされるシンボルの数のうちの１つまたは複数を変更することを含み得る。たとえば、最大のａ値と必要とされるシンボルの最大数とが変更され得る。最大のａ値が４よりも小さい場合、いくつかの態様では、１の値がそれに追加される。ただし、最大のａ値が４である場合、それの値は１に変更され、１の値が、必要とされるシンボルの最大数に追加される。たとえば、
【００７３】
[0086]
If (ainit <4); a = ainit + 1; Nsym=Nsym, init
【００７４】
[0087]
If (ainit = 4); a = 1; Nsym=Nsym, init + 1  
【００７５】
[0088]ブロック８２５は、複数のワイヤレス通信デバイスの各々について、有用ビットの対応する部分（ａ値）と、複数のワイヤレス通信デバイスの各々の変調およびコーディング方式（ＭＣＳ）能力とに少なくとも部分的に基づいて、各ＳＴＡ（ＰＥu）のための拡張ビット（ＳＥ）の対応するシグナリング拡張長さを決定する。たとえば、上記で説明されたように、ワイヤレス通信デバイス１２０は、それが、ＭＣＳ０〜ＭＣＳ３の場合に処理時間の０μｓ、ＭＣＳ４〜ＭＣＳ７の場合に処理時間の８μｓ、およびＭＣＳ８以上の場合に処理時間の１６μｓを必要とすることを示していることがある。したがって、ＡＰ１１０は、デバイスがどんなＭＣＳを現在使用しているかを決定し、これを、関連付け中に設定されるしきい値と比較し得る。たとえば、ワイヤレス通信デバイス１２０がＭＣＳ４を現在使用している場合、ＡＰ１１０は、８μｓのＳＥがこのデバイスのために必要であると決定することができる。いくつかの態様では、ＡＰ１１０は、ａ値に少なくとも部分的に基づいて、この追加の処理時間の一部または全部がすでにワイヤレス通信デバイス１２０にとって利用可能であると決定し得る。たとえば、ａ値が２である場合、ワイヤレス通信デバイス１２０は、最後のシンボルの終わりの後に、受信データを処理するための自由な８μｓを有し得る。しかしながら、ａ値が３である場合、たとえば、ワイヤレス通信デバイス１２０は、シンボルの終わりの後に、データを処理するための時間の４μｓのみを有し得る。したがって、いくつかの態様では、ＡＰ１１０は、ワイヤレス通信デバイス１２０が、送信を適切に処理するために４μｓのＳＥを必要とすると決定し得る。同様に、ワイヤレス通信デバイス１２０が処理時間の１６μｓを必要とし、ａ値が３である場合、ＡＰ１１０は、ワイヤレス通信デバイス１２０が、１２μｓのＳＥが送信の終わりに追加されることを必要とすると決定し得る。ＡＰ１１０は、この目的で、特定のワイヤレス通信デバイス１２０のａ値を利用し得るか、または最大のａ値を利用し得る。ＡＰ１１０は、最大のＰＥを決定するために、データを受信するワイヤレス通信デバイス１２０の各々について、このプロセスを実施し得る。次に、プロセス８００は、すべてのＳＴＡのためのフレームに最大のＳＥを適用することを伴う。この時点で、ＳＴＡのすべてのための送信長さは、同じであり得る。
【００７６】
[0089]ブロック８３０は、複数のデータパケットを生成することを含み得、各データパケットは、対応するデータビットと、複数のデータビットの各々についての最終シンボルの後の対応するシグナリング拡張長さの拡張ビットとを含む。いくつかの態様では、複数のデータパケットは、上記で説明されたデータビットの後にパディングビットを含むように生成される。パディングビットは、対応するデータビットの長さに少なくとも部分的に基づいて、最大数のシンボル中の有用ビットの最大部分によって示されるビットロケーションまで、データパケット中に含まれ得る。
【００７７】
[0090]ブロック８３５は、それぞれ、複数のデータパケットを複数のワイヤレス通信デバイスの各々に送信する。複数のデータパケットの各々は、１つまたは複数のａ値の対応する指示（たとえば、または有用ビットの部分の対応する第１の指示）と、図６を参照しながら上記で説明されたようにＳＥディスアンビギュエーション指示と、ワイヤレス通信デバイス１２０のうちの少なくとも１つの要件に基づいて、追加ショートシンボル指示が追加されたかまたはデータパケット中に含まれているかどうかの第２の指示を含み得る。
【００７８】
[0091]いくつかの態様では、（合計４ビットについて）ａ値のうちの１つまたは複数は２ビットによって示され得、ＳＥディスアンビギュエーション指示は１ビットであり得、追加ショートシンボル指示は１ビットであり得る。一態様では、これらのビットは、パケットヘッダのＬ−ＳＩＧまたはＨＥ−ＳＩＧ中でなど、送信されているパケットのヘッダ中で与えられ得る。追加の機能がプロセス８００中に存在し得、プロセス８００に関して上記で説明された機能のすべてが必要であるとは限らないことを諒解されたい。いくつかの態様では、送信機３１０は、ブロック８３５に関して説明された送信を実施するように構成され得る。
【００７９】
[0092]図９は、ワイヤレス通信の例示的なプロセス９００の一態様のフローチャートである。いくつかの態様では、プロセス９００は、ＡＰ１１０からＳＥをもつデータを受信するために、ワイヤレス通信デバイス１２０によって利用され得る。いくつかの態様では、プロセス９００は、図３に関して上記で説明されたデバイス３０２によって実施され得る。たとえば、いくつかの態様では、メモリ３０６に記憶された命令は、プロセス９００に関して以下で説明される機能のうちの１つまたは複数を実施するようにプロセッサ３０４を構成し得る。
【００８０】
[0093]ブロック９０５は、パケット長さ情報とＳＥディスアンビギュエーション指示とに基づいて、シンボルの数と適用されたＳＥとを決定する。上記で説明されたように、この情報は、デバイス１２０など、プロセス９００を実施するデバイスが受信するパケットのヘッダ中で示され得る。パケットは、いくつかの態様では、受信機３１２によって受信され得る。
【００８１】
[0094]ブロック９１０において、ａ値は、追加ショートシンボル指示に基づいて更新される。この更新は、ＡＰ１１０によって実施されるプロセスの逆であり得る。たとえば、ａ値が１よりも大きい場合、ａ値から１の値が減算され得る。ただし、ａ値が１である場合、ａ値は４に設定され得、シンボルの計算された数は１だけ低減され得る。たとえば、ＬＤＰＣ追加ショートシンボルビット＝１である場合、
【００８２】
[0095]ａ＞１である場合、ａ＝ａ−１、およびＮsymは変更なし
【００８３】
[0096]ａ＝１である場合、ａ＝４、Ｎsym＝Ｎsym−１
【００８４】
[0097]ブロック９１５において、適用されたＰＥを利用してデータシンボルが復号される。たとえば、データシンボルは、ＰＤＰＣ復号プロセスに基づいて、上記で説明された受信されたパケットから復号され得、ワイヤレス通信デバイス１２０は、データ送信の処理を完了するためのバッファとしてＳＥによって与えられる処理時間を利用し得る。ブロック９１５は、復号されたデータシンボルを処理することを含み得る。たとえば、復号されたデータシンボルは、受信されたパケットのバイト値を形成するために利用され得る。
【００８５】
[0098]図１０は、ワイヤレス通信の例示的なプロセス１０００の一態様のフローチャートである。いくつかの態様では、プロセス１０００は、ＳＥをもつデータをＡＰ１１０からワイヤレス通信デバイス１２０に送信するために利用され得る。プロセス１０００は、図８のプロセス８００と同様であり得るが、追加または代替の処理効率を与え得る。プロセス１０００の開始より前に、送信されるべきデータのコンテンツと、データがそれに送信されるべきであるワイヤレス通信デバイス１２０とは、知られ得る。図示のように、プロセス１０００は、最初に、各ＳＴＡのためのパケットサイズに基づいて各ＳＴＡについて必要とされるシンボルの数とａ値とを決定することを伴う。この決定は、各ＳＴＡのための送信のパケットサイズに対して少なくとも部分的に行われ得る。さらに、ａ値は、１、２、３、または４のうちの１つであり得、上記で説明された４つの境界のうちの１つに対応し得る。
【００８６】
[0099]次に、プロセス１０００は、すべてのＳＴＡのためのシンボルの決定された数およびａ値の中から、シンボルの最大数およびａ値を決定することを伴う。いくつかの態様では、シンボルの最大数は、最大のａ値とは別に決定され得る。他の態様では、最大のａ値は、送信されるべきシンボルの最大数を有するＳＴＡに関連付けられたａ値に対応する。次に、プロセス１０００は、デバイス能力に基づいて各ＳＴＡのためのＳＥ（たとえば、関連付けにおいてワイヤレス通信デバイス１２０によって示されたしきい値と比較して現在のＭＣＳに基づいて、０μｓ、８μｓ、または１６μｓ）を決定することを伴う。
【００８７】
[00100]次に、プロセス１０００は、いずれかのＳＴＡが、すべての他のＳＴＡよりも大きいＳＥと、最大数よりも小さいシンボルの数と、４よりも小さいａ値とを有するかどうかを決定することを伴う。このＳＴＡは、以下で「識別された」ＳＴＡと呼ばれる。たとえば、ＡＰ１１０は、以下の式を利用し得る。
【００８８】
[00101]
【数３】
0006633177.tif 000005
【００８９】
[00102]
Nsym, u<Nsym, init
【００９０】
[00103]
au< 4  
【００９１】
[00104]次に、プロセス１０００は、識別されたＳＴＡのためのシンボルの数を１だけ低減し、追加のショートシンボルが必要とされなければ、ＳＴＡのａ値を３に設定することを伴い、それから、ＳＴＡのａ値を４に設定する。このプロセスは、識別されたＳＴＡの各々について実施されることになる。たとえば、
【００９２】
[00105]
Nsym,u=Nsym−1; au=3
【００９３】
[00106]ＬＤＰＣ追加（extra）ショートシンボルがそのＳＴＡ（または他のＳＴＡ）のために必要とされる場合、ａu＝４
【００９４】
[00107]次に、プロセス１０００は、最大のａ値（ａinit）によって識別された境界まで、データがシンボルの最大数（Ｎsym,init）の総数を満たすまで、すべてのＳＴＡについてPre-FECパディングを適用することを伴う。この時点で、パディングを含むデータパケットの各々の長さは、同じであり得る。ただし、識別されたＳＴＡの場合、異なるパディングが使用され得る。いくつかの態様では、Pre-FECパディングがＳＴＡ自身のａ値（ａu）によって示された境界まで適用され、Post-FECパディングが最後のシンボルのために適用される。
【００９５】
[00108]次に、プロセス１０００は、いずれかのＳＴＡが追加のショートシンボルを必要とするかどうかを決定することを伴う。いくつかの態様では、デバイスは、ＬＤＰＣ符号化により、追加のショートシンボルを必要とし得る。一態様では、ショートシンボルは、シンボルの長さの４分の１に対応する。この態様によれば、最大のａ値と必要とされるシンボルの最大数とが変更され得る。たとえば、最大のａ値が４よりも小さい場合、１の値がそれに追加される。ただし、最大のａ値が４である場合、それの値は１に変更され、１の値が、必要とされるシンボルの最大数に追加される。たとえば、
【００９６】
[00109]
If (ainit <4); a = ainit + 1; Nsym=Nsym, init
【００９７】
[00110]
If (ainit = 4); a = 1; Nsym=Nsym, init + 1
【００９８】
[00111]（上記の例に示されているように）シンボルの最大数が１だけ増加する場合、ＬＤＰＣ符号化プロセスは、追加のシンボル（extra symbol）および新しいａ値を考慮に入れて繰り返される。Pre-FECパディングが、新しいａ値に従って各ＳＴＡに適用される。（条件を満たすものとして前に識別された）いくつかのＳＴＡの場合、シンボルの数は増加されるが、ａ値は変化しない。
【００９９】
[00112]次に、プロセス１０００は、図８を参照しながら上記で説明されたプロセス８００と同様に、各ＳＴＡの能力とａ値とに基づいて、各ＳＴＡのためのＳＥを決定することを伴う。ＡＰ１１０は、この目的で、特定のワイヤレス通信デバイス１２０のａ値を利用し得るか、または最大のａ値を利用し得る。ＡＰ１１０は、最大のＰＥを決定するために、データを受信するワイヤレス通信デバイス１２０の各々について、このプロセスを実施し得る。ただし、識別されたＳＴＡの場合、異なる決定が行われ得る。一態様では、最後のシンボル全体がデバイスのためのＳＥとして使用され得、したがって、追加のＳＥは必要とされないことがある。したがって、ＡＰ１１０は、適用すべき最大のＳＥの決定を行う際に、識別されたＳＴＡを除外し得る。次に、プロセス１０００は、すべてのＳＴＡのためのフレームに最大のＳＥを適用することを伴う。この時点で、ＳＴＡのすべてのための送信長さは、同じであり得る。
【０１００】
[00113]次に、プロセス１０００は、ａ値と、図６を参照しながら上記で説明されたようにＳＥディスアンビギュエーション指示と、ワイヤレス通信デバイス１２０のうちの少なくとも１つの要件に基づいて、追加のショートシンボルが追加されたかどうかを示し得る追加ショートシンボル指示とを送信することを伴う。いくつかの態様では、（合計４ビットについて）ａ値は２ビットによって示され得、ＳＥディスアンビギュエーション指示は１ビットであり得、追加ショートシンボル指示は１ビットであり得る。一態様では、これらのビットは、パケットヘッダのＬ−ＳＩＧまたはＨＥ−ＳＩＧ中でなど、送信機であるパケットのヘッダ中で与えられ得る。追加のステップがプロセス１０００中に存在し得、プロセス１０００のステップのすべてが必要であるとは限らないことを諒解されたい。
【０１０１】
[00114]図１１は、ワイヤレス通信の例示的なプロセス１１００の一態様のフローチャートである。いくつかの態様では、図１１に関して以下で説明されるプロセス１１００は、デバイス３０２によって実施され得る。たとえば、メモリ３０６中の命令は、プロセス１１００に関して以下で説明される機能のうちの１つまたは複数を実施するようにプロセッサ３０４を構成し得る。
【０１０２】
[00115]いくつかの態様では、プロセス１１００は、ＡＰ１１０からＳＥをもつデータを受信するために、ワイヤレス通信デバイス１２０によって利用され得る。
【０１０３】
[00116]ブロック１１０５は、パケット長さ情報とＳＥディスアンビギュエーション指示とに基づいて、シンボルの数と適用されたＳＥとを決定する。上記で説明されたように、この情報は、プロセス１１００を実施するデバイスによって受信されるパケットのヘッダ中で示され得る。たとえば、この情報は、ワイヤレス通信デバイス１２０が受信しているパケット中にあり得る。
【０１０４】
[00117]ブロック１１１０は、デバイス能力に基づいて、決定されたａ値およびシンボルの数を調整すべきかどうかを決定する。たとえば、一態様では、受信デバイスは、与えられたａ値と関連付けにおいて示されるデバイス能力とに基づいて、適用されたＳＥが、受信デバイスのために必要なＳＥの量よりも小さいかどうかを決定し得る。代替的に、この基準を満たすワイヤレス通信デバイス１２０の各々に指示が与えられ得、受信デバイスの各々は、それが識別されたデバイスのうちの１つであるかどうかを決定するために、この指示を検査することになる。
【０１０５】
[00118]ブロック１１１５は、デバイス能力と追加ショートシンボル指示とに基づいて、ａ値を更新する。この更新は、ＡＰ１１０によって実施されるプロセスの逆であり得る。たとえば、前のステップ中で識別されないデバイスの場合、ａ値が１よりも大きい場合、ａ値から１の値が減算され得る。ただし、ａ値が１である場合、ａ値は４に設定され得、シンボルの計算された数は１だけ低減され得る。たとえば、ＬＤＰＣ追加ショートシンボルビット＝１である場合、
【０１０６】
[00119]ａ＞１である場合、ａ＝ａ−１、およびＮsymは変更なし
【０１０７】
[00120]ａ＝１である場合、ａ＝４、Ｎsym＝Ｎsym−１
【０１０８】
[00121]ただし、前のステップによって識別されたデバイスの場合、デバイスは、シンボルの数を１の値だけ減少させるかまたは減分し得、追加ショートシンボル指示が１の値に設定された場合、ａを４の値に等しくなるように設定するが、追加ショートシンボル指示が０の値に設定された場合、ａを３の値に等しくなるように設定する。
【０１０９】
[00122]ブロック１１２０は、適用されたＰＥを利用してデータシンボルを復号する。たとえば、データシンボルは、ＰＤＰＣ復号プロセスに基づいて復号され得、ワイヤレス通信デバイス１２０は、データ送信の処理を完了するためのバッファとしてＳＥによって与えられる処理時間を利用し得る。
【０１１０】
[00123]ある帯域幅（ＢＷ）、ＭＣＳ、および空間ストリームの数（ＮSS）の場合、あるＭＣＳは「除外」され得る。このＭＣＳ除外は、上記の組合せが、整数でない、ＮCBPS,short（ショートシンボルごとのコード化ビットの数）、ＮDBPS,short（ショートシンボル中のデータビットの数）、またはＮDBPS,short／ＮES（必要とされるバイナリ畳み込みコード（ＢＣＣ）エンコーダの数）についての値をもたらすときに少なくとも部分的に基づき得る。一態様では、以下の式が使用され得る。
【０１１１】
[00124]
NCBPS,short  = NSD,short * NSS * NBPSCS
【０１１２】
[00125]
NDBPS,short  = NCBPS,short * R  
【０１１３】
[00126]したがって、ＭＣＳ除外を回避するために、パラメータのすべての３つは、整数である必要がある。いくつかの態様では、ＮSD,shortの値は、それがＮSD,longの値の４分の１であるようなものであるべきである。一態様では、以下の表２中で識別された値が使用され得る。
【０１１４】
【表２】
0006633177.tif 000006
【０１１５】
[00127]たとえば、２．５ＭＨｚ  ＢＷでは、ａ値１〜４によって示された各境界は、６つのトーン間隔になる。すなわち、送信の最後のシンボル中のデータが最初の６つのトーン内にのみあるとき、ａ＝１であり、送信の最後のシンボル中のデータが最初の６つのトーンの外にあるが最初の１２個のトーン内にあるとき、ａ＝２であり、送信の最後のシンボル中のデータが最初の１２個のトーン外にあるが最初の１８個のトーン内にあるとき、ａ＝３であり、送信の最後のシンボル中のデータが最初の１８個のトーンの外にあるが利用可能な２４個のトーン内にあるとき、ａ＝４である。ＮSD,shortの値が、厳密に表１中のＮSDの４分の１でないとき、１、２、および３のａ値によって示される最初の３つの境界は、ＮSD個のトーン間隔であり、残りの４のａ値はトーンの残りに対応することになる。たとえば、４０ＭＨｚ  ＢＷでは、送信の最後のシンボル中のデータが最初の１２０個のトーン内にのみあるとき、ａ＝１であり、送信の最後のシンボル中のデータが最初の１２０個のトーンの外にあるが最初の２４０個のトーン内にあるとき、ａ＝２であり、送信の最後のシンボル中のデータが最初の２４０個のトーン外にあるが最初の３６０個のトーン内にあるとき、ａ＝３であり、送信の最後のシンボル中のデータが最初の３６０個のトーンの外にあるが利用可能な４６８個のトーン内にあるとき、ａ＝４である。ＮSDは、４０ＭＨｚのＢＷについて１２０として記載されるが、１１４個のトーンが代替的に使用され得る。ただし、この代替選択肢は、７／８のコードレートをもつ１０２４ＱＡＭを満たさないことがある。
【０１１６】
[00128]図１２は、ここで開示されるフォーマットのデータパケットを受信する方法のフローチャートである。いくつかの態様では、プロセス１２００は、ワイヤレスデバイス３０２によって実施され得る。たとえば、いくつかの態様では、上記で説明されたように、受信機３１２はパケットを受信するように構成され得、プロセッサ３０４はパケットを復号するように構成され得る。いくつかの態様では、パケットの受信は、プロセッサ３０４によって制御され得る。たとえば、プロセッサ３０４は、受信機がそれ自体をパケットを受信するように構成すべきであることを受信機に示し得、次いで、パケットが受信された後に、受信機３１２からメモリ３０６にデータをコピーし得る。
【０１１７】
[00129]ブロック１２０５において、データパケットが受信される。データパケットは、有用データビットの部分の指示と、データビットとを含む。いくつかの態様では、データパケットは、追加のショートシンボルがデータパケット中に含まれているかどうかの指示、および／またはデータパケットの最終シンボルの後のシグナリング拡張を含み得る。
【０１１８】
[00130]ブロック１２１０において、データパケットは、有用ビットの部分に少なくとも部分的に基づいて処理される。いくつかの態様では、データパケットを処理することは、データパケット中の指示のうちの１つまたは複数に基づいてデータパケットを復号することを含み得る。いくつかの態様では、データパケットは、追加のショートシンボルがデータパケット中に含まれているかどうかの指示に基づいて処理され得る。たとえば、いくつかの態様では、データビットは、有用データビット指示に基づいてパケットから抽出され得る。たとえば、示された有用ビットは、バッファにコピーされ、所定のパケットフォーマットに基づいて処理され得る。たとえば、いくつかの態様では、フレーム検査シーケンスが、有用ビット数指示に基づいて、パケットの終わりから抽出され得る。フレーム検査シーケンスは、次いで、パケットの完全性を検証するために使用され得る。
【０１１９】
[00131]いくつかの実施形態では、ワイヤレス通信のための装置が、図８〜図１１で説明されたプロセス８００〜１１００のいずれかを実施し得る。例示的な実施形態では、ワイヤレス通信のための装置は、図３のワイヤレス通信デバイス３０２と同様である。いくつかの実施形態では、装置は、チャネル状態情報を１つまたは複数のワイヤレス通信デバイスに要求する第１のメッセージを生成するための手段を備える。生成された第１のメッセージは、ヘッダとペイロードとを備え得る。第１のメッセージのヘッダは、要求されたチャネル状態情報を決定するために使用可能である第１のフィールドタイプの複数のフィールドを備え得、第１のメッセージのペイロードは、チャネル状態情報パラメータを備え得る。装置は、第１のメッセージを１つまたは複数のワイヤレス通信デバイスに送信するための手段をさらに備え得る。
【０１２０】
[00132]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２１】
[00133]本開示で説明された実装形態への様々な修正は当業者には容易に明らかであり得、本明細書で定義された一般原理は、本開示の趣旨または範囲から逸脱することなく他の実装形態に適用され得る。したがって、本開示は、本明細書で示された実装形態に限定されるものではなく、本明細書で開示される特許請求の範囲、原理および新規の特徴に一致する、最も広い範囲を与られるべきである。「例示的」という単語は、本明細書ではもっぱら「例、事例、または例示の働きをすること」を意味するために使用される。「例示的」として本明細書で説明されたいかなる実装形態も、必ずしも他の実装形態よりも好ましいまたは有利であると解釈されるべきであるとは限らない。
【０１２２】
[00134]本明細書で使用される、項目のリスト「のうちの少なくとも１つ」を指す句は、単一のメンバーを含む、それらの項目の任意の組合せを指す。一例として、「Ａ、ＢまたはＣのうちの少なくとも１つ」は、Ａ、またはＢ、またはＣ、またはＡおよびＢ、またはＡおよびＣ、またはＢおよびＣ、またはＡ、ＢおよびＣ、または２Ａ、または２Ｂ、または２Ｃなどを包含するものとする。
【０１２３】
[00135]また、別個の実装形態に関して本明細書で説明されたいくつかの特徴は、単一の実装形態において組合せで実装され得る。また、逆に、単一の実装形態に関して説明された様々な特徴は、複数の実装形態において別個に、あるいは任意の好適な部分組合せで実装され得る。その上、特徴は、いくつかの組合せで働くものとして上記で説明され、初めにそのように請求されることさえあるが、請求される組合せからの１つまたは複数の特徴は、いくつかの場合にはその組合せから削除され得、請求される組合せは、部分組合せ、または部分組合せの変形形態を対象とし得る。
【０１２４】
[00136]上記で説明された方法の様々な動作は、（１つまたは複数の）様々なハードウェアおよび／またはソフトウェア構成要素、回路、および／または（１つまたは複数の）モジュールなど、それらの動作を実施することが可能な任意の好適な手段によって実施され得る。概して、図に示されたどの動作も、その動作を実施することが可能な対応する機能的手段によって実施され得る。
【０１２５】
[00137]本明細書で使用されるインターフェースという用語は、２つまたはそれ以上のデバイスを一緒に接続するように構成されたハードウェアまたはソフトウェアを指すことがある。たとえば、インターフェースは、プロセッサまたはバスの一部であり得、デバイス間での情報またはデータの通信を可能にするように構成され得る。インターフェースは、チップまたは他のデバイスに組み込まれ得る。たとえば、いくつかの態様では、インターフェースは、あるデバイスからの情報または通信を別のデバイスにおいて受信するように構成された受信機を備え得る。（たとえば、プロセッサまたはバスの）インターフェースは、フロントエンドデバイスまたは別のデバイスによって処理される情報またはデータを受信し得、あるいは受信された情報を処理し得る。いくつかの態様では、インターフェースは、情報またはデータを別のデバイスに送信または通信するように構成された送信機を備え得る。したがって、インターフェースは、情報またはデータを送信し得るか、あるいは（たとえば、バスを介した）送信のために出力するために情報またはデータを準備し得る。
【０１２６】
[00138]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替として、プロセッサは、任意の市販のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１２７】
[00139]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気記憶デバイス、あるいは命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、いくつかの態様では、コンピュータ可読媒体は一時的コンピュータ可読媒体（たとえば、信号）を備え得る。上記の組合せもコンピュータ可読媒体の範囲内に含まれるべきである。
【０１２８】
[00140]本明細書で開示された方法は、説明された方法を達成するための１つまたは複数のステップまたはアクションを備える。方法のステップおよび／またはアクションは、特許請求の範囲から逸脱することなく、互いに入れ替えられ得る。言い換えれば、ステップまたはアクションの特定の順序が指定されていない限り、特定のステップおよび／またはアクションの順序および／または使用は、特許請求の範囲から逸脱することなく変更され得る。
【０１２９】
[00141]さらに、本明細書で説明された方法および技法を実施するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実施するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに与えるための任意の他の好適な技法が利用され得る。
【０１３０】
[00142]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
ワイヤレス通信ネットワークにおいて第１のメッセージを拡張する方法であって、
前記第１のメッセージの宛先デバイスの変調およびコーディング方式能力を決定することと、
前記第１のメッセージの最終シンボル中のビットの数を決定することと、
前記変調およびコーディング方式能力とビットの前記数とに基づいて、拡張の長さを決定することと、および
前記決定された長さの拡張をもつ前記第１のメッセージを前記宛先デバイスに送信することと
を備える、方法。
［Ｃ２］
前記第１のメッセージの前記送信と同時に、異なる長さの第２の拡張をもつ第２のメッセージを第２の宛先デバイスに送信することをさらに備える、Ｃ１に記載の方法。
［Ｃ３］
前記拡張の前記長さが、０μｓ、４μｓ、８μｓ、１２μｓまたは１６μｓのうちの１つである、Ｃ１に記載の方法。
［Ｃ４］
前記第２のメッセージおよび前記第１のメッセージの最終シンボル中のビットの最大数に基づいて、前記第１のメッセージおよび前記第２のメッセージをパディングすることをさらに備える、Ｃ２に記載の方法。
［Ｃ５］
前記最終シンボルの持続時間と前記拡張の前記長さとの間の差を決定することと、および
前記差に基づいて、前記第１のメッセージ中でプロセシング拡張ディスアンビギュエーション指示（processing extension disambiguation indication）を示すことと
をさらに備える、Ｃ１に記載の方法。
［Ｃ６］
前記第１のメッセージが低密度パリティチェック（ＬＤＰＣ）を使用して符号化されたかどうかを決定することと、および
前記第１のメッセージが低密度パリティチェックを使用して符号化されたことに応答して、前記第１のメッセージにシンボルを追加することと
をさらに備える、Ｃ１に記載の方法。
［Ｃ７］
ワイヤレス通信ネットワークにおいて拡張を含む第１のメッセージを受信するための方法であって、
パケットの最終シンボル中のビットの数の第１の指示と、追加のシンボルが前記パケット中に含まれているかどうかの第２の指示と、および、前記パケットの前記最終シンボルの後のシグナリング拡張とを備える前記パケットを、ワイヤレス通信デバイスによって、受信することと、および
ビットの前記数と前記追加のシンボルが前記パケット中に含まれているかどうかの前記第２の指示とに少なくとも部分的に基づいて、前記パケットを処理することと
を備える、方法。
［Ｃ８］
前記パケット中のシグナリング拡張ディスアンビギュエーション指示とパケット長さ指示とを前記ワイヤレス通信デバイスによって、受信することと、
前記パケット長さ指示と前記シグナリング拡張ディスアンビギュエーション指示とに少なくとも部分的に基づいて、前記パケットがそれの上で送信されるシンボルの数を決定することと、および
シンボルの前記数に基づいて前記パケットを処理することと
をさらに備える、Ｃ７に記載の方法。
［Ｃ９］
ワイヤレス通信ネットワークにおいて第１のメッセージを拡張するための装置であって、前記装置が、
前記第１のメッセージの宛先デバイスの変調およびコーディング方式能力を決定することと、
前記第１のメッセージの最終シンボル中のビットの数を決定することと、
前記変調およびコーディング方式能力とビットの前記数とに基づいて、拡張の長さを決定することと、
を行うように構成された電子ハードウェアプロセッサと、および
前記決定された長さの拡張をもつ前記第１のメッセージを前記宛先デバイスに送信するように構成された送信機と
を備える、装置。
［Ｃ１０］
前記電子ハードウェアプロセッサが、前記第１のメッセージの前記送信と同時に、異なる長さの第２の拡張をもつ第２のメッセージを第２の宛先デバイスに送信するようにさらに構成された、Ｃ９に記載の装置。
［Ｃ１１］
前記拡張の前記長さが、０μｓ、４μｓ、８μｓ、１２μｓまたは１６μｓのうちの１つである、Ｃ９に記載の装置。
［Ｃ１２］
前記電子ハードウェアプロセッサが、前記第２のメッセージおよび前記第１のメッセージの最終シンボル中のビットの最大数に基づいて、前記第１のメッセージおよび前記第２のメッセージをパディングするようにさらに構成された、Ｃ１０に記載の装置。
［Ｃ１３］
前記電子ハードウェアプロセッサが、
前記最終シンボルの持続時間と前記拡張長さとの間の差を決定することと、および
前記差に基づいて、前記第１のメッセージ中でプロセシング拡張ディスアンビギュエーション指示を示すことと
を行うようにさらに構成された、Ｃ９に記載の装置。
［Ｃ１４］
前記電子ハードウェアプロセッサは、
前記第１のメッセージが低密度パリティチェック（ＬＤＰＣ）を使用して符号化されたかどうかを決定することと、および
前記第１のメッセージが低密度パリティチェックを使用して符号化されたことに応答して、前記第１のメッセージにシンボルを追加することと
を行うようにさらに構成された、Ｃ９に記載の装置。
［Ｃ１５］
ワイヤレス通信ネットワークにおいて拡張を含む第１のメッセージを受信するための装置であって、
データパケットの最終シンボル中のビットの数の第１の指示と、追加のシンボルが前記データパケット中に含まれているかどうかの第２の指示と、および前記データパケットの前記最終シンボルの後のシグナリング拡張とを備える前記データパケットを受信するように構成された受信機と、および
ビットの前記数と前記追加のシンボルが前記データパケット中に含まれているかどうかの前記第２の指示とに少なくとも部分的に基づいて、前記データパケットを処理するように構成された電子ハードウェアプロセッサと
を備える、装置。
［Ｃ１６］
前記データパケット中のシグナリング拡張ディスアンビギュエーション指示とパケット長さ指示とを前記受信機が、受信するようにさらに構成され、およびここにおいて、前記電子ハードウェアプロセッサは、前記パケット長さ指示と前記シグナリング拡張ディスアンビギュエーション指示とに少なくとも部分的に基づいて、前記データパケットがそれの上で送信されるシンボルの数を決定することと、およびシンボルの前記数に基づいて前記データパケットを処理することとを行うようにさらに構成された、Ｃ１５に記載の装置。
［Ｃ１７］
実行されたとき、プロセッサに、ワイヤレス通信ネットワークにおいて第１のメッセージを拡張する方法を実施させる命令を備える非一時的コンピュータ可読媒体であって、前記方法が、
前記第１のメッセージの宛先デバイスの変調およびコーディング方式能力を決定することと、
前記第１のメッセージの最終シンボル中のビットの数を決定することと、
前記変調およびコーディング方式能力とビットの前記数とに基づいて、拡張の長さを決定することと、および
前記決定された長さの拡張をもつ前記第１のメッセージを前記宛先デバイスに送信することと
を備える、非一時的コンピュータ可読媒体。
［Ｃ１８］
前記命令が、前記第１のメッセージの前記送信と同時に、異なる長さの第２の拡張をもつ第２のメッセージを第２の宛先デバイスに送信することをさらに提供する、Ｃ１７に記載の非一時的コンピュータ可読媒体。
［Ｃ１９］
前記命令が、前記第２のメッセージおよび前記第１のメッセージの最終シンボル中のビットの最大数に基づいて、前記第１のメッセージおよび前記第２のメッセージをパディングすることをさらに提供する、Ｃ１８に記載の非一時的コンピュータ可読媒体。
［Ｃ２０］
前記命令が、
前記最終シンボルの持続時間と前記拡張長さとの間の差を決定することと、および
前記差に基づいて、前記第１のメッセージ中でプロセシング拡張ディスアンビギュエーション指示を示すことと
をさらに提供する、Ｃ１７に記載の非一時的コンピュータ可読媒体。
［Ｃ２１］
前記命令は、
前記第１のメッセージが低密度パリティチェック（ＬＤＰＣ）を使用して符号化されたかどうかを決定することと、および
前記第１のメッセージが低密度パリティチェックを使用して符号化されたことに応答して、前記第１のメッセージにシンボルを追加することと
をさらに提供する、Ｃ１７に記載の非一時的コンピュータ可読媒体。
［Ｃ２２］
ワイヤレス通信ネットワークにおけるワイヤレス通信の方法であって、前記方法は、
データパケットの最終シンボル中のビットの数の指示と、追加のシンボルが前記データパケット中に含まれているかどうかの指示と、前記データパケットの前記最終シンボルの後のシグナリング拡張とを備える前記データパケットをワイヤレス通信デバイスによって、受信することと、および
ビットの前記数と前記追加のシンボルが前記データパケット中に含まれているかどうかの前記指示とに少なくとも部分的に基づいて、前記データパケットを前記ワイヤレス通信デバイスによって、処理することと
を備える、方法。
［Ｃ２３］
前記データパケット中のシグナリング拡張ディスアンビギュエーション指示とパケット長さ指示とを前記ワイヤレス通信デバイスによって、受信することと、
前記パケット長さ指示と前記シグナリング拡張ディスアンビギュエーション指示とに少なくとも部分的に基づいて、前記データパケットがそれの上で送信されるシンボルの数を決定することと、および
シンボルの前記数に基づいて前記パケットを処理することと
をさらに備える、Ｃ２２に記載の方法。
［Ｃ２４］
ワイヤレス通信ネットワークにおけるワイヤレス通信のための装置であって、前記装置は、
データパケットの最終シンボル中のビットの数の第１の指示と、追加のシンボルが前記データパケット中に含まれているかどうかの第２の指示と、および前記データパケットの前記最終シンボルの後のシグナリング拡張とを備える前記データパケットを受信するように構成された受信機と、および
ビットの前記数と前記追加のシンボルが前記データパケット中に含まれているかどうかの前記第２の指示とに少なくとも部分的に基づいて、前記データパケットを復号するように構成された電子ハードウェアプロセッサと
を備える、装置。
［Ｃ２５］
前記受信機が、前記データパケット中のシグナリング拡張ディスアンビギュエーション指示とパケット長さ指示とを受信するようにさらに構成され、および前記電子ハードウェアプロセッサは、
前記パケット長さ指示と前記シグナリング拡張ディスアンビギュエーション指示とに少なくとも部分的に基づいて、前記データパケットがそれの上で送信されるシンボルの数を決定することと、および
シンボルの前記数に基づいて前記パケットを処理することと
を行うようにさらに構成された、Ｃ２４に記載の装置。
【図１】
0006633177.tif 000007
【図２】
0006633177.tif 000008
【図３】
0006633177.tif 000009
【図４】
0006633177.tif 000010
【図５Ａ】
0006633177.tif 000011
【図５Ｂ】
0006633177.tif 000012
【図６】
0006633177.tif 000013
【図７Ａ】
0006633177.tif 000014
【図７Ｂ】
0006633177.tif 000015
【図７Ｃ】
0006633177.tif 000016
【図８】
0006633177.tif 000017
【図９】
0006633177.tif 000018
【図１０】
0006633177.tif 000019
【図１１】
0006633177.tif 000020
【図１２】
0006633177.tif 000021